(57)【要約】【課題】収納操作及び取出し操作の容易なディスク収納ケースを提供する。【解決手段】ケース本体２の一側縁部に蓋体３の一側縁部が回動自在に枢支され、ケース本体の枢支側の側縁部に、ディスクＤを着脱自在に収容保持し得るディスクホルダー４の基端部が回動自在に取り付けられ、蓋体の側縁部に係止片２３が設けられ、ホルダーの外周縁部に係止片を係止し得る係止用凹部１４が形成され、ホルダーの基端側からストッパー突片１５、１６が延設され、蓋体を開くと該蓋体に係止状態のホルダーは蓋体に重なった状態で蓋体とともに回動展開され、ホルダーが起立した時にストッパー突片がケース本体の枢支側の側縁部に当接してホルダーのさらなる回動展開が阻止されることによって蓋体の係止片のホルダーの係止用凹部への係止状態が解除されて、蓋体は、起立状態のディスクホルダーから離脱してさらに回動展開するものとなされた構成とする。【選択図】図１
2007168867.tif 000002
【特許請求の範囲】
【請求項１】
平面視略矩形状のケース本体の一側縁部に平面視略矩形状の蓋体の一側縁部が回動自在に枢支されてなるディスク収納ケースにおいて、
前記ケース本体における前記枢支側の側縁部に、ディスクの中央孔を含む少なくとも片面上部を露出する態様で該ディスクを着脱自在に収容保持し得るディスクホルダーの基端部が回動自在に取り付けられ、
前記蓋体における前記枢支側の側縁部に略直交する一対の側縁部のうちの少なくとも一方の側縁部に係止片が設けられ、
前記ディスクホルダーの外周縁部に前記係止片を係止し得る係止用凹部が形成され、
前記ディスクホルダーの基端側からストッパー突片が延設され、
前記蓋体を閉じたときに、前記蓋体の係止片が前記ディスクホルダーの係止用凹部に係止された状態で前記蓋体が前記ケース本体に閉じ合わされるものとなされる一方、
前記蓋体を開いたときに、該蓋体に係止された状態の前記ディスクホルダーは前記蓋体に重なった状態で蓋体とともに回動展開され、前記ディスクホルダーが起立ないし立ち上がり状態になった時に前記ディスクホルダーの基端側のストッパー突片が前記ケース本体の枢支側の側縁部に当接してディスクホルダーのさらなる回動展開が阻止されることによって前記蓋体の係止片の前記ディスクホルダーの係止用凹部への係止状態が解除され、これにより、前記蓋体は、前記起立ないし立ち上がり状態のディスクホルダーから離脱してさらに回動展開するものとなされていることを特徴とするディスク収納ケース。
【請求項２】
平面視略矩形状のケース本体の一側縁部に平面視略矩形状の蓋体の一側縁部が回動自在に枢支されてなるディスク収納ケースにおいて、
前記ケース本体における前記枢支側の側縁部に、ディスクの中央孔を含む少なくとも片面上部を露出する態様で該ディスクを着脱自在に収容保持し得るディスクホルダーの基端部が回動自在に取り付けられ、
前記ディスクホルダーの外周縁部に係止片が設けられ、
前記蓋体における前記枢支側の側縁部に略直交する一対の側縁部のうちの少なくとも一方の側縁部に、前記係止片を係止し得る係止用凹部が形成され、
前記ディスクホルダーの基端側からストッパー突片が延設され、
前記蓋体を閉じたときに、前記ディスクホルダーの係止片が前記蓋体の係止用凹部に係止された状態で前記蓋体が前記ケース本体に閉じ合わされるものとなされる一方、
前記蓋体を開いたときに、該蓋体に係止された状態の前記ディスクホルダーは前記蓋体に重なった状態で蓋体とともに回動展開され、前記ディスクホルダーが起立ないし立ち上がり状態になった時に前記ディスクホルダーの基端側のストッパー突片が前記ケース本体の枢支側の側縁部に当接してディスクホルダーのさらなる回動展開が阻止されることによって前記ディスクホルダーの係止片の前記蓋体の係止用凹部への係止状態が解除され、これにより、前記蓋体は、前記起立ないし立ち上がり状態のディスクホルダーから離脱してさらに回動展開するものとなされていることを特徴とするディスク収納ケース。
【請求項３】
前記ディスクホルダーは、
ディスクの下部領域に沿接する支持基板と、
該支持基板のディスク保持面の下部に形成され、ディスクの下部外周面に当接して該ディスクを支承する突出段部と、
ディスクが支持基板から離れる方向に遊離移動するのを阻止する１ないし複数個の抑え爪片とを備えている請求項１または２に記載のディスク収納ケース。
【請求項４】
前記ディスクホルダーの基端側から延設された前記ストッパー突片が、前記ケース本体における前記枢支側の側縁部に回動自在に枢支されている請求項１〜３のいずれか１項に記載のディスク収納ケース。
【請求項５】
前記ケース本体の枢支側の側縁部における長さ方向の一端側及び他端側に相互に離間して一対の隆起縁部が形成され、前記ディスクホルダーの基端側から延設された前記ストッパー突片が前記一対の隆起縁部の間に挿入配置されると共に該隆起縁部に回動自在に枢支され、
前記ディスクホルダーの基端側に、前記ストッパー突片と離間して前記蓋体側に張り出した張出板部が延設され、
前記蓋体が閉じられて前記ディスクホルダーが前記ケース本体内に収容された状態時において、前記ケース本体の一対の隆起縁部の上面と前記ディスクホルダーの張出板部の上面とが面一又は略面一となる状態で連なるものとなされている請求項１〜３のいずれか１項に記載のディスク収納ケース。
【請求項６】
前記ケース本体の内面に、ディスク収納時に該ディスクの上部外周縁に適合してディスクが前記ディスクホルダーから抜脱する方向に移動するのを阻止する１ないし複数の外周拘束凸部が突出状に設けられている請求項１〜５のいずれか１項に記載のディスク収納ケース。
【発明の詳細な説明】
【技術分野】
【０００１】
この発明は、情報記録媒体としてのＤＶＤ、ＣＤ等のディスクの収納ケースに関する。
【背景技術】
【０００２】
この種のディスクケースは、ディスクの特に情報記録面の損傷防止をはかることの重要性から、収納状態においてディスクが遊動しないように確実な拘束状態にして収納しうるものであることが求められる。このような要請に基づき、従来のディスクケースにおいては、大別して次のような３つのディスク拘束手段が採用されている。
【０００３】
第１は、浅い皿状のケース本体の内面にディスク径に対応する環状膨隆部を形成し、この環状膨隆部の内周面部に形成された段部にディスク外周縁部を担持させることにより、ディスクを上記環状膨隆部の内側に落とし込み状態に保持しうるものとした外周拘束型である。第２は、ケース本体の内面中央部に突設された、好ましくは拡径ロック手段を有するセンターハブ（中央突起）に、ディスクの中央孔を嵌め合わせることにより、上記ハブでディスクを内周側から拘束しうるものとした内周拘束型である。第３は上記第１及び第２の拘束手段の併用型である。
【０００４】
しかしながら、上記のような拘束手段を採用した従来のディスクケースにおいては、ケースを開いてディスクを定位置にセットする作業、あるいは該セッティング状態のディスクを取出す作業が、いささか面倒であり、また行い難いという問題があった。
【０００５】
特に、取出し時において、手の小さい子供や、爪を長く伸ばした婦人等においては、ディスクの外周縁の略対角線上の位置に２本ないしは３本の指先をかけて水平状にディスクを持ち上げる際に、指先が届かなかったり、爪先がケース本体の底面に当たってディスクをうまく挟み込むことができなかったり、あるいはハブの中央部を強く押さえ込んでハブ外径を縮小させるロック解除操作を行なうに際し、爪先が邪魔になって該操作を円滑に行うことができない等々の種々のディスク取出し上の不便さを有するものであった。
【０００６】
従来、このような不便を解消するための手段を採用したディスクケースとして、下記特許文献１及び２に示すようなものが提案されている。
【特許文献１】実開平５−１３９８５号公報
【特許文献２】特開２００１−４８２７０号公報  上記特許文献１は、ケース本体内に、ディスクの下面側に待機するディスクプッシャーを設け、該ディスクプッシャーを蓋体に連結して、蓋体を開けたとき、この蓋体の回動に連動してディスクプッシャーを若干回動させ、その上に乗ったディスクを持ち上げるようにしたものである。
【０００７】
また、特許文献２は、主として紙製のディスク収納ケースに関し、ケース内に別途袋状のディスク収納部を設け、この収納部を、ケース本体及び蓋体の各内面と支持部を介して連結し、ケースを開けることにより上記支持部の作用で前記収納部をケースの内面側で起立させるようにしたものである。
【発明の開示】
【発明が解決しようとする課題】
【０００８】
しかしながら、上記特許文献１、２に示されるようなディスクケースの場合、いずれも構造的に複雑で製作コストが高くつくのみならず、誤作動のおそれもあり、更には、ディスクの情報記録面にプッシャーや収納部の内面が干渉あるいは摺接するため、ディスクを損傷するおそれがある。このような問題点のために、上記特許文献１、２に示されるようなディスクケースは、未だ実用化に至っていないのが実状である。
【０００９】
この発明は、かかる技術的背景に鑑みてなされたものであって、構造的に簡単で格別大幅な製造コストの増大を招くことがない上に、ディスクの情報記録面を傷つける恐れがなく、しかも収納操作及び取出し操作の容易なディスク収納ケースを提供することを目的とする。
【課題を解決するための手段】
【００１０】
前記目的を達成するために、本発明は以下の手段を提供する。なお、この以下の説明及び特許請求の範囲の記載において、ディスクの「上部」とは、ケースを開いてディスクホルダーが立ち上がった状態を基準として、該ホルダーに保持されたディスクの上部を指称し、ディスクの「下部」とは同じくその下部を指称するものとする。
【００１１】
［１］平面視略矩形状のケース本体の一側縁部に平面視略矩形状の蓋体の一側縁部が回動自在に枢支されてなるディスク収納ケースにおいて、
前記ケース本体における前記枢支側の側縁部に、ディスクの中央孔を含む少なくとも片面上部を露出する態様で該ディスクを着脱自在に収容保持し得るディスクホルダーの基端部が回動自在に取り付けられ、
前記蓋体における前記枢支側の側縁部に略直交する一対の側縁部のうちの少なくとも一方の側縁部に係止片が設けられ、
前記ディスクホルダーの外周縁部に前記係止片を係止し得る係止用凹部が形成され、
前記ディスクホルダーの基端側からストッパー突片が延設され、
前記蓋体を閉じたときに、前記蓋体の係止片が前記ディスクホルダーの係止用凹部に係止された状態で前記蓋体が前記ケース本体に閉じ合わされるものとなされる一方、
前記蓋体を開いたときに、該蓋体に係止された状態の前記ディスクホルダーは前記蓋体に重なった状態で蓋体とともに回動展開され、前記ディスクホルダーが起立ないし立ち上がり状態になった時に前記ディスクホルダーの基端側のストッパー突片が前記ケース本体の枢支側の側縁部に当接してディスクホルダーのさらなる回動展開が阻止されることによって前記蓋体の係止片の前記ディスクホルダーの係止用凹部への係止状態が解除され、これにより、前記蓋体は、前記起立ないし立ち上がり状態のディスクホルダーから離脱してさらに回動展開するものとなされていることを特徴とするディスク収納ケース。
【００１２】
［２］平面視略矩形状のケース本体の一側縁部に平面視略矩形状の蓋体の一側縁部が回動自在に枢支されてなるディスク収納ケースにおいて、
前記ケース本体における前記枢支側の側縁部に、ディスクの中央孔を含む少なくとも片面上部を露出する態様で該ディスクを着脱自在に収容保持し得るディスクホルダーの基端部が回動自在に取り付けられ、
前記ディスクホルダーの外周縁部に係止片が設けられ、
前記蓋体における前記枢支側の側縁部に略直交する一対の側縁部のうちの少なくとも一方の側縁部に、前記係止片を係止し得る係止用凹部が形成され、
前記ディスクホルダーの基端側からストッパー突片が延設され、
前記蓋体を閉じたときに、前記ディスクホルダーの係止片が前記蓋体の係止用凹部に係止された状態で前記蓋体が前記ケース本体に閉じ合わされるものとなされる一方、
前記蓋体を開いたときに、該蓋体に係止された状態の前記ディスクホルダーは前記蓋体に重なった状態で蓋体とともに回動展開され、前記ディスクホルダーが起立ないし立ち上がり状態になった時に前記ディスクホルダーの基端側のストッパー突片が前記ケース本体の枢支側の側縁部に当接してディスクホルダーのさらなる回動展開が阻止されることによって前記ディスクホルダーの係止片の前記蓋体の係止用凹部への係止状態が解除され、これにより、前記蓋体は、前記起立ないし立ち上がり状態のディスクホルダーから離脱してさらに回動展開するものとなされていることを特徴とするディスク収納ケース。
【００１３】
［３］前記ディスクホルダーは、
ディスクの下部領域に沿接する支持基板と、
該支持基板のディスク保持面の下部に形成され、ディスクの下部外周面に当接して該ディスクを支承する突出段部と、
ディスクが支持基板から離れる方向に遊離移動するのを阻止する１ないし複数個の抑え爪片とを備えている前項１または２に記載のディスク収納ケース。
【００１４】
［４］前記ディスクホルダーの基端側から延設された前記ストッパー突片が、前記ケース本体における前記枢支側の側縁部に回動自在に枢支されている前項１〜３のいずれか１項に記載のディスク収納ケース。
【００１５】
［５］前記ケース本体の枢支側の側縁部における長さ方向の一端側及び他端側に相互に離間して一対の隆起縁部が形成され、前記ディスクホルダーの基端側から延設された前記ストッパー突片が前記一対の隆起縁部の間に挿入配置されると共に該隆起縁部に回動自在に枢支され、
前記ディスクホルダーの基端側に、前記ストッパー突片と離間して前記蓋体側に張り出した張出板部が延設され、
前記蓋体が閉じられて前記ディスクホルダーが前記ケース本体内に収容された状態時において、前記ケース本体の一対の隆起縁部の上面と前記ディスクホルダーの張出板部の上面とが面一又は略面一となる状態で連なるものとなされている前項１〜３のいずれか１項に記載のディスク収納ケース。
【００１６】
［６］前記ケース本体の内面に、ディスク収納時に該ディスクの上部外周縁に適合してディスクが前記ディスクホルダーから抜脱する方向に移動するのを阻止する１ないし複数の外周拘束凸部が突出状に設けられている前項１〜５のいずれか１項に記載のディスク収納ケース。
【発明の効果】
【００１７】
［１］の発明では、蓋体を開いたときに、ディスクホルダーは蓋体に重なった状態で蓋体とともに回動展開され、ディスクホルダーが起立ないし立ち上がり状態になった時にディスクホルダーの基端側のストッパー突片がケース本体の枢支側の側縁部に当接してディスクホルダーのさらなる回動展開が阻止されることによって蓋体の係止片のディスクホルダーの係止用凹部への係止状態が解除され、これにより、蓋体は、起立ないし立ち上がり状態のディスクホルダーから離脱してさらに回動展開するので、ディスクホルダーは、ケース本体と蓋体との間の位置で、それらから離れて起立ないし立ち上がり状態になる。かつ、ディスクホルダーは、ディスクの中央孔を含む少なくとも片面上部を露出する態様で該ディスクを着脱自在に収容保持し得るものとなされているから、取扱い者は、中指あるいは人指し指の指先をディスクの中央孔に入れ、親指をディスクの外周縁に添わせてディスクを半径線上で挟み込むようにして安定良く把持しながら、ディスクホルダーにディスクを出し入れすることができる。従って、ディスクの収納操作及び取出し操作が容易であると共に、ディスクの情報記録面に手指が触れることがないので該情報記録面を傷つける恐れもない。また、このディスク収納ケースは、比較的簡単な構造であるから、製造コストも抑制できる。
【００１８】
［２］の発明では、蓋体を開いたときに、ディスクホルダーは蓋体に重なった状態で蓋体とともに回動展開され、ディスクホルダーが起立ないし立ち上がり状態になった時にディスクホルダーの基端側のストッパー突片がケース本体の枢支側の側縁部に当接してディスクホルダーのさらなる回動展開が阻止されることによってディスクホルダーの係止片の蓋体の係止用凹部への係止状態が解除され、これにより、蓋体は、起立ないし立ち上がり状態のディスクホルダーから離脱してさらに回動展開するので、ディスクホルダーは、ケース本体と蓋体との間の位置で、それらから離れて起立ないし立ち上がり状態になる。かつ、ディスクホルダーは、ディスクの中央孔を含む少なくとも片面上部を露出する態様で該ディスクを着脱自在に収容保持し得るものとなされているから、取扱い者は、中指あるいは人指し指の指先をディスクの中央孔に入れ、親指をディスクの外周縁に添わせてディスクを半径線上で挟み込むようにして安定良く把持しながら、ディスクホルダーにディスクを出し入れすることができる。従って、ディスクの収納操作及び取出し操作が容易であると共に、ディスクの情報記録面に手指が触れることがないので該情報記録面を傷つける恐れもない。また、このディスク収納ケースは、比較的簡単な構造であるから、製造コストも抑制できる。
【００１９】
［３］の発明では、ディスクの情報記録面を露出させた状態でディスクホルダーに保持しうるので、ディスクの出し入れ時においてディスクの情報記録面がホルダーの壁面と擦れることがなく、該情報記録面を損傷するおそれがないのは勿論のこと、ディスクのディスクホルダーへの収納操作及び取出し操作がさらに容易化されてディスクの出し入れを非常にスムーズに行うことができる。
【００２０】
［４］の発明では、ストッパー突片は、蓋体の展開途中にディスクホルダーの回動展開を阻止するストッパー機能を有すると共に、ディスクホルダーの枢支機構部をも担っているから、構造的により簡略化できて製造コストをさらに低減することができる。
【００２１】
［５］の発明では、ストッパー突片は、蓋体の展開途中にディスクホルダーの回動展開を阻止するストッパー機能を有すると共に、ディスクホルダーの枢支機構部をも担っているから、構造的により簡略化できて製造コストをさらに低減することができる。また、蓋体が閉じられた状態時において、ケース本体の枢支側の一対の隆起縁部の上面とディスクホルダーの張出板部の上面とが面一又は略面一となった状態でこれらが連なるものとなるので、蓋体を閉じた状態時におけるディスク収納ケースの枢支部の外観が良好であり意匠性を向上できる。
【００２２】
［６］の発明では、ディスクをディスク収納ケース内に収納した状態において完全な拘束状態に保持することができて、収納ケース内でディスクが遊動することがないので、ディスクを一層安全に保護することができる。
【発明を実施するための最良の形態】
【００２３】
この発明に係るディスク収納ケース（１）の一実施形態を図１〜８に示す。このディスク収納ケース（１）は、主としてＣＤの収納に用いられるものである。本実施形態のディスク収納ケース（１）は、図１に示すように、平面視略矩形状のケース本体（２）と、平面視略矩形状の蓋体（３）と、ディスクホルダー（４）とを備えている。前記ケース本体（２）の一側縁部に前記蓋体（３）の一側縁部が回動自在に取り付けられ（枢支され）、前記ケース本体（２）の枢支側の側縁部に前記ディスクホルダー（４）の基端部が回動自在に取り付けられている（枢支されている）。
【００２４】
前記ケース本体（２）は、図２に示すように、合成樹脂成形体からなる平面視略矩形状のトレー（５）が、合成樹脂からなる平面視略矩形状で浅箱状のベース体（６）に内嵌め状態に嵌合固定されたものからなる。
【００２５】
しかして、図１に示すように、前記ケース本体（２）には、枢支側の側縁を除く三方の側縁のそれぞれに側壁（３６Ａ）（３６Ｂ）（３６Ｂ）が立設されている。これら側壁のうち前記枢支側の側縁に略直交する側壁（３６Ｂ）（３６Ｂ）の長さ方向の中央部に切欠部（３７）（３７）が設けられている。
【００２６】
また、前記ケース本体（２）の枢支側の側縁部における長さ方向の一端側に隆起縁部（３３）が設けられると共に同長さ方向の他端側に隆起縁部（３４）が設けられている。これら両隆起縁部（３３）（３４）は相互に離間した状態に配置されている。また、前記両隆起縁部（３３）（３４）における相互の対向面にそれぞれ枢支用孔（３５ａ）（３５ｂ）が穿設されている（図２参照）。
【００２７】
また、前記ケース本体（２）の内面における前記枢支側の２つのコーナー部にそれぞれコーナー凸部（３１）（３１）が突設されると共に前記枢支側の側縁部に対向する側縁部における２つのコーナー部にそれぞれ外周拘束凸部（３９）（３９）が突設されることによって、前記ケース本体（２）の内面に、前記ディスクホルダー（４）を受容するための受容凹部（３２）が形成されている。
【００２８】
前記外周拘束凸部（３９）は、内周側に段部（３９ａ）を有し、ディスク収納時にディスク（Ｄ）の上部外周縁部を前記段部（３９ａ）上に担持支承すると共に、ディスク（Ｄ）の上部外周縁に適合してディスク（Ｄ）がディスクホルダー（４）から抜脱する方向に移動するのを阻止する役目を担っている。
【００２９】
また、前記コーナー凸部（３１）（３１）及び前記外周拘束凸部（３９）（３９）の上面にそれぞれ平面視略半円形状の係合孔（３８）（３８）（３８）（３８）が形成されている。
【００３０】
また、前記ケース本体（２）の枢支側の側壁（３６Ｃ）の長さ方向の中央部に上方側から切り欠かれた切欠凹部（４０）が形成されている。
【００３１】
前記蓋体（３）は、平面視略矩形状の平板（２０）における前記枢支側の側縁に略直交する側縁に側壁（２１）（２１）が立設されたものからなる。これら側壁（２１）（２１）の長さ方向の中央部にそれぞれ切欠部（２２）（２２）が設けられ、該切欠部（２２）（２２）の底縁の中央部から内方に向けて略半円形状の係止片（２３）（２３）が突設されている。
【００３２】
また、前記側壁（２１）の内面における切欠部（２２）より一端側の位置から略半円形状の係合突片（２４）が内方側に向けて垂設されると共に他端側の位置からも略半円形状の係合突片（２４）が内方側に向けて垂設されている。即ち、前記蓋体（３）には４つの係合突片（２４）が設けられている。これら係合突片（２４）は、前記ケース本体（２）の係合孔（３８）に適合状態に係合しうるものとなされている。
【００３３】
一方、前記ディスクホルダー（４）は、ディスク（Ｄ）の下部領域に沿接する薄い支持基板（１０）を有する。該支持基板（１０）は、上側辺が下向きの円弧状に形成され、ディスク（Ｄ）を保持した状態において、その中央孔（Ｈ）を含む上部領域を大きく露出させ得るものとなされている。
【００３４】
前記支持基板（１０）のディスク保持面の下部には厚肉部（１１）が形成されている。この厚肉部（１１）の上側辺は、ディスク（Ｄ）の外径の半円周に対応する半円弧状に形成され、前記ディスク保持面側に半円弧状の突出段部（１２）が形成されている。この突出段部（１２）の突出高さ（厚さ）は、ディスク（Ｄ）の厚さよりやや大きいものとなされ、前記ディスクホルダー（４）に収容保持したディスク（Ｄ）の下部半周領域の周側面を安定的に担持支承するものとなされている。
【００３５】
また、前記突出段部（１２）の下端部及びその左右両側には、支持基板（１０）のディスク保持面との間にディスク（Ｄ）の厚さ相当の隙間を存置して、内方に突出する３個の抑え爪片（１３）（１３）（１３）が設けられている。これら抑え爪片（１３）は、ディスク（Ｄ）が前記支持基板（１０）から離れる方向に遊離移動するのを阻止する役目を担い、前記ディスクホルダー（４）にディスク保持機能を付与するものである。
【００３６】
前記ディスクホルダー（４）の突出段部（１２）の左右両上端部の外周側面にそれぞれ略半円形状の係止用凹部（１４）（１４）が形成されている。この係止用凹部（１４）に前記蓋体（３）の係止片（２３）が適合状態に係止しうるものとなされている。
【００３７】
前記ディスクホルダー（４）の基端部の左右両側からストッパー突片（１５）（１６）が突設されている。即ち、前記厚肉部（１１）の基端の左右両側から略棒状のストッパー突片（１５）（１６）が相互に略平行状に延ばされている。図２に示すように、前記ストッパー突片（１５）における前記隆起縁部（３３）と対向する側面（図面右側側面）から軸部（１５ａ）が突設され、前記ストッパー突片（１６）における前記隆起縁部（３４）と対向する側面（図面左側側面）から軸部（１６ａ）が突設されている。
【００３８】
更に、前記ディスクホルダー（４）の基端部から張出板部（１７）が延設されている。この張出板部（１７）は、前記ストッパー突片（１５）（１６）から離間して前記蓋体（３）側に張り出した状態で延ばされている。
【００３９】
しかして、前記ディスクホルダー（４）の基端側の一方のストッパー突片（１５）の軸部（１５ａ）が前記ケース本体（２）の隆起縁部（３３）の枢支用孔（３５ａ）に挿入配置されると共に、他方のストッパー突片（１６）の軸部（１６ａ）が前記ケース本体（２）の隆起縁部（３４）の枢支用孔（３５ｂ）に挿入配置されることによって、前記ディスクホルダー（４）の基端部が前記ケース本体（２）の枢支側の側縁部に回動自在に取り付けられている（図１、２参照）。
【００４０】
次に、前記構成に係るディスク収納ケース（１）へのディスク（Ｄ）の収納操作及び取出し操作の詳細について説明する。
【００４１】
まず、蓋体（３）をケース本体（２）に対して水平状に展開した状態では、図１に示すようにディスクホルダー（４）はケース本体（２）と蓋体（３）との間の位置でこれらから離れて起立状態になっているので、例えば図７に示すように人指し指をディスク（Ｄ）の中央孔（Ｈ）に入れ、親指をディスク（Ｄ）の外周縁に添わせてディスク（Ｄ）を挟み込み状態に持ち、そのままディスク（Ｄ）をディスクホルダー（４）の上方側から挿し込んでホルダー（４）に収容する。このとき、ディスク（Ｄ）の情報記録面を支持基板（１０）のディスク保持面と反対側の方向に向けて収容することが、傷付き防止の点から好ましい。前記収容状態において、ディスク（Ｄ）は、その下部外周面が突出段部（１２）上に担持支承され、同下部外周縁が支持基板（１０）と抑え爪片（１３）とで挟持されて、ディスクホルダー（４）に安定状態に保持される。
【００４２】
次いで、蓋体（３）をケース本体（２）に向けて閉じ合わせていくと、蓋体（３）は、回動途中で前記起立状態のディスクホルダー（４）に重なり合い、このディスクホルダー（４）との重なり合い状態を維持しつつケース本体（２）に向けて閉じ合わせられる。蓋体（３）がケース本体（２）に重なり合った段階で該蓋体（３）をケース本体（２）にさらに押し込むと、蓋体（３）の係止片（２３）（２３）がディスクホルダー（４）の係止用凹部（１４）（１４）に係止されると共に、蓋体（３）の係合突片（２４）（２４）（２４）（２４）がケース本体（２）の係合孔（３８）（３８）（３８）（３８）に係合され、こうしてディスク（Ｄ）を収容保持したディスクホルダー（４）は、しっかりと閉じ合わされたケース本体（２）と蓋体（３）との間にこれらと平行状態になって収納される（図３、６参照）。この収納状態において、ディスク（Ｄ）の上部外周縁部が、外周拘束凸部（３９）の内周側に嵌まり込んで内周側の段部（３９ａ）上に担持支承されるので（図６参照）、ディスク収納ケース（１）内でディスク（Ｄ）が遊動することが防止される。また、この蓋体（３）が閉じられた状態において、前記ケース本体（２）の一対の隆起縁部（３３）（３４）の上面と前記ディスクホルダー（４）の張出板部（１７）の上面とが面一又は略面一となる状態で連なっている（図３参照）。
【００４３】
一方、ディスク（Ｄ）をディスク収納ケース（１）から取り出す際には、蓋体（３）の係合突片（２４）（２４）（２４）（２４）のケース本体（２）の係合孔（３８）（３８）（３８）（３８）への係合状態を解除して蓋体（３）を開いていく。この時、蓋体（３）の係止片（２３）（２３）のディスクホルダー（４）の係止用凹部（１４）（１４）への係止固定状態はそのまま維持されるので、ディスクホルダー（４）は蓋体（３）に重なり合った状態で蓋体（３）とともに回動展開されていく（図４参照）。しかして、図４に示すように、ディスクホルダー（４）が起立した状態になった時、該ディスクホルダー（４）のストッパー突片（１５）（１６）がケース本体（２）の枢支側の側壁（３６Ｃ）の上縁に当接することでディスクホルダー（４）のさらなる回動展開が阻止され（図８参照）、これにより蓋体（３）の係止片（２３）（２３）のディスクホルダー（４）の係止用凹部（１４）（１４）への係止固定状態が解除されて、蓋体（３）は、図５に示すように、前記起立状態のディスクホルダー（４）から離脱してさらに回動展開されていく。しかして、蓋体（３）をケース本体（２）に対して水平状にまで展開すると、ディスクホルダー（４）は、図１、８に示すように、水平状に展開されたケース本体（２）と蓋体（３）との間の位置でこれらから離れて起立状態になる。この起立状態のホルダー（４）からディスク（Ｄ）を前記同様に指を掛けて把持して上方に抜き出すようにして取り出す。
【００４４】
なお、本実施形態では、図８に示すように、ディスクホルダー（４）のストッパー突片（１５）（１６）がケース本体（２）の枢支側の側壁（３６Ｃ）の上縁に当接した状態時において、前記張出板部（１７）も枢支側の側壁（３６Ｃ）の外面に当接することによって同様にストッパー機能を果たしている。
【００４５】
このように、本発明のディスク収納ケース（１）では、蓋体（３）を開いた状態では、ディスクホルダー（４）は、ケース本体（２）と蓋体（３）との間の位置でこれらから離れて起立状態になり、取扱い者は、中指あるいは人指し指の指先をディスク（Ｄ）の中央孔（Ｈ）に入れ、親指をディスク（Ｄ）の外周縁に添わせてディスク（Ｄ）を半径線上で挟み込むようにして安定良く把持しながら、ディスクホルダー（４）にディスク（Ｄ）を出し入れすることができるから（図７参照）、ディスク（Ｄ）の収納操作及び取出し操作が容易であると共に、ディスク（Ｄ）の情報記録面に手指が触れることがないので該情報記録面を傷つける恐れもない。
【００４６】
この発明において、ディスクホルダー（４）は、上記実施形態に示したものに特に限定されるものではなく、ディスク（Ｄ）を着脱自在に保持しうるものであれば、任意の設計的変更が許容されるものである。例えば、ディスクホルダーの全体形状を前記厚肉部（１１）に相当する形状のものとし、円弧状の上側面にディスク（Ｄ）の周縁部が嵌まり込む浅い溝を形成したものとしても良い。またその場合、ホルダーの左右両端の立上り状部分に弾力をもたせて、収容したディスク（Ｄ）を左右両側から弾力的に挟み付けて安定的に保持しうるようなものとしても良い。
【００４７】
前記実施形態のようにディスクホルダー（４）は支持基板（１０）、突出段部（１２）および抑え爪片（１３）を備えた構成とするのが好ましく、この場合には、ディスク（Ｄ）を支持基板（１０）のディスク保持面に沿わせるようにしながら押し込むことで容易かつスムーズにディスク（Ｄ）をディスクホルダー（４）に収容できる利点がある。
【００４８】
また、上記実施形態では、ディスクホルダー（４）は、１枚のディスク（Ｄ）を収容保持するものとして示したが、２枚あるいは３枚以上のディスク（Ｄ）を収容保持しうるものに構成しても良い。また、ディスクホルダー（４）を複数設ける構成を採用することも可能である。
【００４９】
また、上記実施形態では、蓋体（３）を開いた時に、ディスクホルダー（４）が起立状態になった時にディスクホルダー（４）の基端側のストッパー突片（１５）（１６）がケース本体（２）の枢支側の側縁部に当接してディスクホルダー（４）のさらなる回動展開が阻止されるものとなされているが、即ちディスクホルダー（４）は、開いた状態のケース本体（２）と蓋体（３）との間の位置でそれらから離れて略垂直方向に起立した状態に保持されるように構成されているが、特にこのような構成に限定されるものではなく、例えば、ディスクホルダー（４）がケース本体（２）に対して斜め方向に立ち上がった状態の時にストッパー突片によってディスクホルダー（４）のさらなる回動展開が阻止されるように構成されても良い。
【００５０】
また、上記実施形態では、蓋体（３）の側縁部に係止片（２３）が設けられ、ディスクホルダー（４）の外周縁部に係止用凹部（１４）が設けられた構成が採用されているが、これとは逆に、ディスクホルダー（４）の外周縁部に係止片が設けられ、蓋体（３）の側縁部に係止用凹部が設けられた構成を採用しても良い。即ち、この場合、蓋体（３）を閉じたときに、ディスクホルダー（４）の係止片が蓋体（３）の係止用凹部に係止された状態で蓋体（３）がケース本体（２）に閉じ合わされる一方、蓋体（３）を開いたときに、該蓋体（３）に係止された状態のディスクホルダー（４）は蓋体（３）に重なった状態で蓋体とともに回動展開され、ディスクホルダー（４）が起立ないし立ち上がり状態になった時にディスクホルダー（４）の基端側のストッパー突片がケース本体（２）の枢支側の側縁部に当接してディスクホルダー（４）のさらなる回動展開が阻止されることによってディスクホルダー（４）の係止片の蓋体（３）の係止用凹部への係止状態が解除され、これにより、蓋体（３）は、前記起立ないし立ち上がり状態のディスクホルダー（４）から離脱してさらに回動展開する。
【００５１】
この発明に係るディスク収納ケース（１）は、上記実施形態のものに特に限定されるものではなく、請求の範囲内であれば、その精神を逸脱するものでない限りいかなる設計的変更をも許容するものである。
【産業上の利用可能性】
【００５２】
この発明のディスク収納ケースは、ＤＶＤ、ＣＤ等の情報記録媒体としての円板状ディスクの収納保管用として利用可能である。
【図面の簡単な説明】
【００５３】
【図１】この発明のディスク収納ケースを、その蓋体をケース本体に対して水平状に展開した状態で示す斜視図である。
【図２】同ディスク収納ケースを各構成部材に分離した状態で示す斜視図である。
【図３】同ディスク収納ケースの蓋体を閉じたディスク収納状態を示す斜視図である。
【図４】同ディスク収納ケースの蓋体を回動展開してストッパー突片がケース本体の側縁部に当接した状態（ディスクホルダーが起立した状態）を示す斜視図である。
【図５】同ディスク収納ケースの蓋体が展開途中において起立状態のディスクホルダーから離脱した状態を示す斜視図である。
【図６】図３におけるＸ−Ｘ線の断面図である。
【図７】ディスクの出し入れ時の取扱い状態を示す斜視図である。
【図８】ディスクホルダーのストッパー突片がケース本体の枢支側の側縁部に当接した状態（蓋体はケース本体に対して水平状に展開された状態）を示す拡大断面図である。
【符号の説明】
【００５４】
１…ディスク収納ケース
２…ケース本体
３…蓋体
４…ディスクホルダー
１０…支持基板
１２…突出段部
１３…抑え爪片
１４…係止用凹部
１５…ストッパー突片
１６…ストッパー突片
１７…張出板部
２３…係止片
３３…隆起縁部
３４…隆起縁部
３９…外周拘束凸部
Ｄ…ディスク
Ｈ…中央孔
【図１】
2007168867.tif 000003
【図２】
2007168867.tif 000004
【図３】
2007168867.tif 000005
【図４】
2007168867.tif 000006
【図５】
2007168867.tif 000007
【図６】
2007168867.tif 000008
【図７】
2007168867.tif 000009
【図８】
2007168867.tif 000010